(57)【要約】【課題】アンモニア、アルコール、フェノールなどの臭いを効果的に除去すること。【解決手段】異臭を除去する混合材料を環境中の異臭を除去するために用い、その製造方法は、ナノスケールの銀粒子、ナノスケールのカルシウム粒子、真空に近い環境、事前に設置した所定の温度、媒体材料、および後処理手順の提供を含む。ナノスケール銀粒子とナノスケールカルシウム粒子とを媒体材料の中に置き、交互に分布した状態にすることにより、安定して異臭を除去する混合材料を製造する。【選択図】図１
2009219832.tif 000002
【特許請求の範囲】
【請求項１】
環境中の異臭を除去する混合材料の製造方法であって、
ナノスケールの銀粒子の提供と、
ナノスケールのカルシウム粒子の提供と、
真空に近い環境の提供と、
事前に設定した所定の温度の提供と、
媒体材料の提供と、
前記ナノスケール銀粒子とナノスケールカルシウム粒子とを前記媒体材料の中で交互に分布させることにより安定して異臭を除去する混合材料を形成する、後処理手順の提供と、を含み、
前記混合材料を圧力によって前記環境中に噴射し、前記ナノスケール銀粒子および前記ナノスケールカルシウム粒子が空気粒子と衝突または摩擦し、遊離した正イオンおよび負イオンをそれぞれ形成し、前記環境中の異臭と作用を起こし、前記異臭を除去することを特徴とする、
異臭を除去する混合材料の製造方法。
【請求項２】
環境の異臭を除去する除臭方法であって、
ナノスケール銀粒子とナノスケールカルシウム粒子とを媒体材料の中に混合する混合材料の提供と、
圧力装置の提供と、
前記混合材料を前記圧力装置によって環境中に噴射する手順と、を含み、
前記混合材料における前記ナノスケール銀粒子および前記ナノスケールカルシウム粒子を前記環境中の空気粒子と衝突または摩擦させ、遊離した正イオンおよび負イオンをそれぞれ形成させ、前記環境中の異臭成分と作用を起こさせ、前記異臭を除去することを特徴とする、
除臭方法。
【請求項３】
主に銀とカルシウムの成分を含む異臭を除去する混合材料であって、
前記銀成分をナノスケール銀粒子とし、
前記カルシウム成分をイオン化したナノスケールカルシウム粒子とし、かつ媒体材料をさらに含み、
前記ナノスケール銀粒子とイオン化したナノスケールカルシウム粒子とを前記媒体材料の中で均一に交互に分布させることを特徴とする、
異臭を除去する混合材料。
【発明の詳細な説明】
【技術分野】
【０００１】
本発明は、混合材料の製造方法およびその応用に関し、特に環境中の異臭を除去する方法およびその中で使用する混合材料の製造方法に関する。
【背景技術】
【０００２】
市販されている多くの環境芳香液、芳香剤および除臭剤には、例えば中華民国公告および公開特許Ｉ２９２７８９、４６１８１７、３７１６３０、２００７０１９９９、２００６３７５８６などがあるが、前記製品は、環境の異臭を一時的に除去することしかできず、化学製品であるため、人体に影響を及ぼす。
また、抗菌することができないため、腐った物質が発酵を続け、アンモニア、アルコール、フェノールなどの異臭がさらに発生し、異臭を根本から除去することができない。
空気清浄機、または殺菌機などの、抗菌可能で、かつ異臭を根本から除去することができる製品は、いずれも電子装置であり、随時使用し、持ち運びすることができず、不便である。
本発明は以上の欠陥に鑑みて成されたもので、本発明において提供する異臭を除去する混合材料とその製造方法、および除臭方法は、以上の欠点に対して有効な解決手段を提供するものである。
【発明の開示】
【発明が解決しようとする課題】
【０００３】
前記した先行技術の課題を解決するため、本発明は、異臭を除去する方法とその中で使用する混合材料の製造方法、および除臭方法を提供する。そのうち、異臭を除去する混合材料は、環境中の異臭を除去するためのものであり、その製造方法は、ナノスケールの銀粒子、ナノスケールのカルシウム粒子、真空に近い環境、事前に設定した所定の温度、媒体材料、および後処理手順の提供を含み、ナノスケール銀粒子とナノスケールカルシウム粒子とを媒体材料の中に置き、交互に分布した状態になるようにすることにより、安定して異臭を除去する混合材料を形成するものである。
混合材料を環境中に圧力によって噴射するため、ナノスケール銀粒子およびナノスケールカルシウム粒子が空気粒子と衝突または摩擦し、遊離した正イオンおよび負イオンをそれぞれ形成し、環境中の異臭成分と作用を起こすことにより、異臭を除去することができる。
【０００４】
本発明の主な目的は、異臭除去、抗菌および除臭により、腐った物質の発酵により生成されるアンモニア、アルコール、フェノールなどの臭いを効果的に除去することができる、異臭を除去する混合材料の製造方法を提供することである。
【０００５】
本発明の二次的な目的は、極めて高い吸着結合力により、空気中の微粒子、カビを凝集させ、周辺の空気と異臭を瞬時に浄化することができる、異臭を除去する混合材料の製造方法を提供することである。
【０００６】
本発明のもう１つの目的は、異臭除去、抗菌および除臭により、腐った物質の発酵により生成されるアンモニア、アルコール、フェノールなどの臭いを効果的に除去することができる、除臭方法を提供することである。
【０００７】
本発明のさらにもう１つの目的は、極めて高い吸着結合力により、空気中の微粒子、カビを凝集させ、周辺の空気と異臭を瞬時に浄化することができる、除臭方法を提供することである。
【発明を実施するための最良の形態】
【０００８】
本発明は異臭を除去する混合材料とその製造方法、および除臭方法を開示するが、その中で利用する物質の基本構造と特性は、すでに関連技術分野で通常の知識を有するものであれば理解することができるため、以下の文中の説明において、完全な記述は行わない。
また、以下の文中で引用する図面は、本発明の特徴に関する構造の概要を表したものであり、実際の寸法により完全に作成する必要がないことを先に述べておく。
【０００９】
図１は、本発明における第１実施例であり、異臭１９を除去する混合材料の製造方法１００のフローチャートである。
この異臭を除去する混合材料は、環境中の異臭１９を除去するために使用する。その手順は、
（１）ナノスケールの銀粒子１１の提供と、
（２）ナノスケールのカルシウム粒子１２の提供と、
（３）真空に近い環境１３の提供と、
（４）事前に設定した所定の温度の提供と、
（５）媒体材料１５の提供と、
（６）後処理手順１６の提供と、
である。
ナノスケール銀粒子１１およびナノスケールカルシウム粒子１２を真空に近い環境１３の中に置く目的は、ナノスケール銀粒子１１およびナノスケールカルシウム粒子１２が、空気により散布しないようにし、互いに緊密に吸引できるようにするためである。
この真空の環境１３は、ナノスケール銀粒子１１とナノスケールカルシウム粒子１２の活性を下げることができる所定の温度を事前に設定し、好ましい状態は低温である。
次に、媒体材料１５を提供してから、後処理手順１６を行う。
その目的は、ナノスケール銀粒子１１とナノスケールカルシウム粒子１２とを、媒体材料１５の分子の隙間の中に均一に交互に散布することである。
比較的優れた実施形態においては、媒体材料１５を純水とし、後処理手順１６を振動、機器による攪拌または手動の攪拌とする。
水分子の体積はナノスケール銀粒子１１およびナノスケールカルシウム粒子１２よりも大きいため、後処理手順後に、ナノスケール銀粒子１１とナノスケールカルシウム粒子１２は、純水の中で均一に混ざり、交互に分布した状態となる。
このとき、ポテンシャルの均衡により、安定した混合材料が形成される。
安定した混合材料となった後は、温度が上昇したとしても、または真空状態になくても、その安定性が影響を受けにくいため、ビンに入れて保存または輸送などを行うことができる。
【００１０】
使用時に、混合材料を圧力（大気圧を超えることが好ましい）によって環境中に噴射する。
例えば、スプレーボトルの中に事前に入れておき、使用時に噴射する。
圧力と大気による希釈の結果、ナノスケール銀粒子１１およびナノスケールカルシウム粒子１２が空気粒子１８と急速に衝突または摩擦し、遊離した正イオン１１１および負イオン１２１をそれぞれ形成し、このとき環境中の異臭１９成分に作用を起こすことができる。
この作用は、腐った物質の発酵により生成する臭いを正イオン１１１が効果的に除去し、負イオン１２１が、極めて高い吸着結合力により、空気中の微粒子、カビを凝集させ、周辺の空気と異臭を瞬時に浄化することによって、異臭１９を除去するというものである。
【００１１】
前記製造方法において、事前に設定した所定の温度の範囲は低温が好ましい。
その理由は、低温状態の下では、ナノスケール銀粒子１１およびナノスケールカルシウム粒子１２の活性およびポテンシャルがいずれも充分でないため、安定した混合材料を形成することができるからである。
この低温は摂氏０度〜２０度の間であればよく、摂氏５度〜１０度の間が好ましい。
【００１２】
前記ナノカルシウム粒子１２の主な成分は、硬度８以上の白トルマリンまたはヒスイなどの鉱石をひいてなした粉末とすることができ、摂氏１，８００度を超えるプラズマ電熱法を利用して夾雑物を炭化させた後に除去し、カルシウムの純度を高めてナノ粉粒への研磨を続ける。
好ましい状態としては、イオン化処理を施してカルシウム粒子にイオンカルシウムを形成すると、使用時の異臭１９の除去効果がさらに優れたものとなる。
【００１３】
前記製造方法において、媒体材料１５を提供する前に、前処理手順を追加し、ナノスケール銀粒子１１およびナノスケールカルシウム粒子１２を相互に攪拌して混ぜることができる。
この場合、後処理手順で媒体材料をその中に注入するだけで、ナノスケール銀粒子１１およびナノスケールカルシウム粒子１２を散らし、混合効果を達成することができる。攪拌または振動などを同時に行うと、効果がよりよいものとなる。
【００１４】
前記製造方法において、保存手順（図には未表示）の提供をさらに含み、異臭１９を除去する混合材料を、例えばガラスビン、プラスチックビンなどの常温常圧の容器の中に保存し、実際の必要に応じて、随時使用し持ち運ぶこともできる。
【００１５】
図２は、本発明における第２実施例であり、除臭方法２００のフローチャートである。
この除臭方法２００は、
（１）ナノスケール銀粒子２１とナノスケールカルシウム粒子２２とを媒体材料の中に混合する混合材料の提供と、
（２）圧力装置２７の提供と、
（３）前記混合材料を圧力装置２７によって環境中に噴射する手順と、
を含む。
これによって、混合材料の中のナノスケール銀粒子２１およびナノスケールカルシウム粒子２２を環境中の空気粒子２８と衝突または摩擦させ、遊離した正イオン２１１および負イオン２２１をそれぞれ形成させ、環境中の異臭２９成分と作用を起こさせ、異臭２９を除去することができる。
【００１６】
この環境は、単純な空気環境とすることも、空気および物体などを同時に含むこともできる。
そのため、空気中の異臭２９を除去することができるだけでなく、物体の異臭２９もこの方法により除去することができる。
【００１７】
圧力装置２７は、混合材料を圧力装置２７から環境中に噴射しやすくするために、市販されているスプレーガンなどのノズル装置（未には未表示）をさらに含むことができる。
除臭方法２００で使用する混合材料のその他の特徴については、前記第１実施例で開示したとおりである。
【００１８】
以上の記載内容は本発明の比較的優れた実施例の記載であって、本発明の実施範囲を限定するためのものではない。本発明の特許請求の範囲に従って行なわれた同等の変更および修飾は、いずれも本発明の特許範囲に含まれるものである。
【図面の簡単な説明】
【００１９】
【図１】本発明に基づく第１実施例の異臭を除去する混合材料の製造方法のフローチャートである。
【図２】本発明に基づく第２実施例の除臭方法のフローチャートである。
【符号の説明】
【００２０】
１００    異臭を除去する混合材料の製造方法
１１      ナノスケールの銀粒子
１２      ナノスケールのカルシウム粒子
１３      真空の環境
１５      媒体材料
１６      後処理手順
１８      空気粒子
１９      異臭
１１１    正イオン
１２１    負イオン
２００    除臭方法
２１      ナノスケールの銀粒子
２２      ナノスケールのカルシウム粒子
２７      圧力装置
２８      空気粒子
２１１    正イオン
２２１    負イオン
【図１】
2009219832.tif 000003
【図２】
2009219832.tif 000004